(57)【要約】      （修正有）【課題】接着剤を必要とすることなく、マイクロスプリングを用いて２つのコンポーネントを確実に固定する低コストな方法を提供すること。【解決手段】支持構造体１１０とＩＣダイ１２０との電気接続は、ＩＣダイ１２０の外周領域に配置されかつ構造体上面１１１とＩＣダイ１２０の処理面１２２とを分離する隙間領域を介して延びる曲がったマイクロスプリング１３０によって達成される。マイクロスプリング１３０は、支持構造体１１０およびもう一方の構造体／ＩＣダイ１２０上に配置される関連の接触パッド１２７のうちの一方へ固着される。従来的なはんだベースの接続構造体１４０は、ＩＣダイ１２０の中心領域に配置される「ダミーの」（非機能的な）パッド１２７上に配置される。支持構造体１１０上にＩＣダイ１２０を置いた後は、標準的なはんだリフロープロセスが実行され、機械的接続が完了する。【選択図】図１Ａ
2015008288.tif 000002
【特許請求の範囲】
【請求項１】
回路アッセンブリであって、
その上面に配置される第１のサポート接触パッドと第２のサポート接触パッドとを含む支持構造体であって、前記第１のサポート接触パッドは、前記支持構造体上に配置される少なくとも１つの導体へ電気接続されている支持構造体と、
前記支持構造体上に、デバイスの下面が前記支持構造体の上面に面するように搭載されるデバイスであって、前記デバイスは、前記下面上に配置される第１および第２のデバイス接触パッドを含み、前記第１のデバイス接触パッドは、前記デバイス上に配置される少なくとも１つの導電構造体へ電気接続されているデバイスと、
前記支持構造体の前記上面と前記デバイスの前記下面との間に画定される隙間領域に配置される曲がったマイクロスプリングであって、前記第１のデバイス接触パッドへ電気接続される第１の端と、前記第１のサポート接触パッドへ電気接続される第２の端と、前記第１および第２の端の間に延びる曲がった本体部分とを含むマイクロスプリングと、
前記第２のサポート接触パッドへ接続される第１の端部分と、前記第２のデバイス接触パッドへ接続される第２の端部分と、前記第１および第２の端部分の間を、前記デバイスが前記支持構造体へ前記はんだベースの相互接続構造体によって機械的に堅く固定されるように延びる本体部分とを有するはんだベースの相互接続構造体とを備える回路アッセンブリ。
【請求項２】
半導体デバイスパッケージであって、
上面上に配置される第１および第２のベース接触パッドを含むベース基板パッケージと、
第１および第２のダイ接触パッドを含む処理面を有する集積回路（ＩＣ）であって、前記第１のダイ接触パッドは、前記ＩＣダイ上に製造される集積回路へ電気接続されている集積回路（ＩＣ）と、
前記ベース基板パッケージと前記ＩＣダイとの間に、各マイクロスプリングの第１の端が関連の前記第１のベース接触パッドへ電気接続されかつ前記各マイクロスプリングの第２の端が関連の第１のダイ接触パッドへ電気接続されるように配置される複数の曲がったマイクロスプリングであって、前記各マイクロスプリングは、前記第１および第２の端の間を、前記ベース基板パッケージの前記上面と前記ＩＣダイの前記処理面との間に空隙領域が画定されるように延びる曲がった本体部分を含む複数の曲がったマイクロスプリングと、
複数のはんだベースの相互接続構造体であって、その各々が、関連の第２のベース接触パッドへ接続される第１の端部分と、関連の第２のダイ接触パッドへ接続される第２の端部分と、前記第１および第２の端部分間を、前記ＩＣダイが前記ベース基板パッケージへ前記複数のはんだベースの相互接続構造体によって機械的に堅く固定されるように延びる本体部分とを有する複数のはんだベースの相互接続構造体とを備える半導体デバイスパッケージ。
【請求項３】
デバイスを支持構造体へ電気的かつ機械的に固定するための方法であって、前記支持構造体は、その上面に配置される第１および第２のサポート接触パッドを有し、かつ前記デバイスは、第１のデバイス接触パッドと第２のデバイス接触パッドとを含む処理面を有し、前記第１のダイ接触パッドは、前記デバイス上に配置される回路へ電気接続され、前記第２のデバイス接触パッドのうちの少なくとも１つの上にははんだ構造体が配置され、前記方法は、
前記デバイスを前記支持構造体上へ、マイクロスプリングの第１の端が前記第１のサポート接触パッドへ電気接続され、かつ前記マイクロスプリングの第２の端が前記第１のデバイス接触パッドへ電気接続されるように、かつ前記第１および第２の端の間に延びる前記マイクロスプリングの曲がった本体部分が、前記支持構造体の前記上面と前記デバイスの前記処理面との間に画定される空隙領域内に配置されるようにして搭載することと、
前記デバイスを前記支持構造体へ、前記はんだ構造体に、前記第２のサポート接触パッドへ接続される第１の端部分と、前記第２のデバイス接触パッドへ接続される第２の端部分と、前記第１および第２の端部分の間を、前記デバイスが前記支持構造体へ前記はんだベースの相互接続構造体によって機械的に堅く固定されるように延びる本体部分とを有するはんだベースの相互接続構造体を形成させることによって機械的に付着することを含む方法。
【発明の詳細な説明】
【技術分野】
【０００１】
本発明は、集積回路に関し、具体的には、集積回路のダイ／基板アッセンブリに適用可能であり、かつ支持基板上へ、例えば半導体デバイスパッケージを製造するために集積回路ダイを搭載するための方法に関する。
【背景技術】
【０００２】
「回路アッセンブリ」という言い回しは、組み立てられた／パッケージされた電子デバイス／システムと、１つまたは複数の電子コンポーネント（例えば、ベア集積回路（ＩＣ）ダイまたはパッケージされたＩＣデバイス）をプリント回路の支持構造体（例えば、パッケージ基板またはプリント基板（ＰＣＢ））へこのような電子デバイス／システムを形成するようにして電気的かつ機械的に接続するプロセスとの双方を指す。半導体パッケージは、１つまたは複数の「ベア」半導体電子コンポーネント（典型的には、ＩＣダイまたは「チップ」と称される）を含む金属、プラスチック、ガラスまたはセラミック製ケーシングを含む、ある特定の機能（例えば、不揮発性メモリの提供またはマイクロプロセッサ機能の実行）を実行する回路アッセンブリタイプのうちの１つである。個々のディスクリートコンポーネントは、既知の半導体加工技術（例えば、ＣＭＯＳ）を用いてシリコンウェーハ上に形成され、次に、ウェーハは切断され（ダイスされ）て個々のＩＣダイが形成され、次に、ＩＣダイはパッケージ内に組み立てられる（例えば、プリント基板に類似するパッケージ基板上へ搭載される）。パッケージは、衝撃および腐食からの防護となり、外部回路をデバイスへ接続するために使用される接続ピンまたはリードを保持し、かつＩＣダイ内で生じる熱を放散する。他のタイプの回路アッセンブリには、例えば、典型的には多数のパッケージされたＩＣデバイスおよびホストＰＣＢへ電気的かつ機械的に固定される他のコンポーネントを含むプリント基板（ＰＣＢ）アッセンブリが含まれる。
【０００３】
現在のところ、コンポーネントを組み立てて完全に機能的なプリント基板にするプロセスは、普遍的に、電気接続を行うためのはんだ付けの使用に依存する。環境上の懸念に起因して、嘗ては鉛を含んでいたはんだ付けは今や鉛を含んでいないが、その結果、はんだが溶融してリフローする際の温度は、鉛を含むはんだのそれより著しく高い。このより高い温度は、はんだが凝固した後から室温に戻るまでの残存温度降下が、コンポーネント間の温度膨張係数（ＴＣＥ）の不一致に起因して応力の蓄積をさらに高めることを意味する。これは、特に、低誘電率（低ｋ）の使用、および歪制御された微細ジオメトリのデバイスによって先行世代よりもデバイスがＴＣＥ誘導応力に影響されやすくなっている最新技術のシリコンＶＬＳＩデバイス等のコンポーネントの場合に問題である。また、はんだ付けがコンポーネント間の隙間に渡って大きな面積の金属−金属ブリッジを形成していて、組み立てられたコンポーネントが衝撃振動試験に合格するほど十分に機械的に付着される場合も同様である。
【０００４】
マイクロスプリング技術は、無鉛はんだ接合に関連づけられるＴＣＥ誘導応力の問題に対処するために最近開発された。マイクロスプリングは、ホスト基板上（即ち、ＩＣダイまたはベース基板パッケージの何れかの上）へ、例えば固有応力勾配でスパッタ蒸着される応力印加された薄膜を用いてバッチ製造され、次に、関連するベース（アンカ）部分から延びる狭いフィンガ状部分を有する個々のフラットなマイクロスプリング構造体を形成すべくパターン化される。狭いフィンガ状部分は、次に、ホスト基板から剥離され（アンカ部分は基板に付いたまま）、これにより、固有の応力に起因してフィンガ状部分が基板平面から設計された曲率半径で曲がり（カールし）、これにより、結果的に生じる曲がったマイクロスプリングの先端がホスト基板から離れて保持される。ホスト基板は、次に、マイクロスプリングの先端が対応する金属接触パッドに当接するように、対応する構造体と結合され、これにより、（導電性の）マイクロスプリング相互接続構造は、ホスト基板（例えば、ＩＣダイ）と、対応する構造体（例えば、ベース基板パッケージ）との間の電気信号伝達を促進する。チップと基板とを互いに圧縮することにより、マイクロスプリングによって、温度サイクルおよび高湿度暴露に関する必要なＪＥＤＥＣ試験に合格することが示されている圧接部が形成され、これにより、マイクロスプリング相互接続構造は、無鉛はんだ接合に対する魅力のある代替物となる。
【０００５】
マイクロスプリングにより電気接続される２つのコンポーネントを固定する（例えば、ＩＣダイをベース基板パッケージへ固定する）ための現行方法は、典型的には、マイクロスプリングと関連の接触パッドとの間の接触を保全するために、２つのコンポーネント間の狭い隙間に配置される接着剤の使用を必要とする。残念ながら、この必要とされる接着剤の計量分配および硬化プロセスは、典型的には、プリント基板およびパックされるＩＣデバイスを高容量で組み立てる企業によって採用されていない。したがって、接着剤の計量分配および硬化プロセスの包含は、マイクロスプリング技術の容易な採用にとっての障害となっている。さらに、究極の信頼性を制限する有機ガス発生の危険性に起因して、高信頼性の電子機器パッケージングおよび軍事アプリケーションの中には接着剤を使用できないものがある。
【０００６】
接着剤を使わずに２つのコンポーネントをマイクロスプリングによって固定する代替技術としての１つの可能性は、マイクロスプリングの端をはんだ付けによって固定することである。この手法では、マイクロスプリングは、先に論じたように一方のコンポーネント上に形成され、はんだペーストは、関連の第２のコンポーネント上へ、従来のはんだベースアッセンブリと同様の方式で置かれる。組立ての間、マイクロスプリングの自由端（先端）は、はんだペーストへと押し込まれ、次に、アッセンブリは従来のリフローステップを受ける。残念ながら、この方法で行われる電気接続はＪＥＤＥＣ温度および湿度試験をかろうじて切り抜けるものの、衝撃振動試験に合格するには、やはり例えばコーナーボンドである接着剤が必要であり、この点は、先述の問題点となる。
【発明の概要】
【発明が解決しようとする課題】
【０００７】
したがって、接着剤を必要とすることなく、マイクロスプリングを用いて２つのコンポーネント（例えば、ＩＣダイをパッケージ支持構造体へと）を確実に固定する低コストな方法が必要とされている。
【課題を解決するための手段】
【０００８】
本発明は、曲がったマイクロスプリング相互接続構造体（マイクロスプリング）および１つまたは複数のはんだベースの相互接続構造体の双方を利用して、デバイス（例えば、集積回路（ＩＣ）ダイ／チップ、ＩＣデバイスパッケージまたは発光ダイオード（ＬＥＤ）等の回路エレメント）をプリント回路支持構造体（例えば、パッケージ基板またはプリント基板（ＰＣＢ））へ電気的かつ機械的に固定する、低コストの回路アッセンブリおよび関連の回路アッセンブリ方法に関する。具体的には、ＩＣデバイスと支持構造体との間に規格準拠の電気接続を提供するために、既存のマイクロスプリング技術を用いてマイクロスプリングコネクタが配備され、かつ、デバイスと支持体との間に堅い機械的接続を提供するために、略従来技術を用いて１つまたは複数のはんだベースの相互接続構造体が形成される。マイクロスプリングの使用と、はんだベースの接続とを組み合わせることにより、本発明は、従来のアタッチメント方法に付随する問題点に費用効果的な解法を提供する。第１に、はんだベースの相互接続構造体を機械的接続のために限定して利用する（例えば、マイクロスプリングを利用して全ての、または大部分の電気接続を提供する）ことにより、はんだベースの相互接続構造体の数を最小限に抑えることができ、これにより、はんだ付けのみの相互接続スキームに付随するＴＣＥ誘導応力の問題点が最小化される。第２に、はんだベースの相互接続構造体は、本質的に２つのコンポーネントを互いに「溶接する」ことから、接着剤を必要とするまでもなくアッセンブリは結果的に確実に固定され、これにより、現時点でマイクロスプリングによる相互接続技術の採用を妨げているコスト的および他の検討事項が回避される。第３に、最終的なアッセンブリプロセスは、従来のはんだベースのアッセンブリプロセスと略同一であることから、本発明の回路組立て方法は、完全なはんだ式アッセンブリプロセスからマイクロスプリングによる相互接続技術へのほぼシームレスな移行を促進する。即ち、本発明は、回路組立て業者が、アッセンブリプロセスに新しいステップを追加することなくその既存の（例えば、標準はんだリフロー）アッセンブリ機器を利用できるようにし、これにより、業者の顧客には、組立てコストを上げることなくマイクロスプリング技術の有益な側面、ならびに永久的に堅い確実な機械的接続を組み入れた回路アッセンブリが提供される。
【０００９】
本発明の代替実施形態によれば、１つまたは複数のはんだベースの相互接続構造体は、ＩＣデバイスと支持構造体との間に、「ダミーの」接触パッド（即ち、ＩＣデバイスと支持構造体との間に電気接続を形成しない金属パッド）によって、または「機能的な」接触パッドを用いて接続される。「ダミーの」接触パッドは、「機能的な」接触パッドと同時に（即ち、マイクロスプリングに関連づけられる従来の接触パッドと同じ設計規則／サイズおよび材料を用いて）形成されるが、処理される回路から電気絶縁される。ある代替実施形態では、はんだベースの相互接続構造体は、例えば関連コンポーネント間で接地電位を伝達する機能的な接触パッド間に形成される。
【００１０】
本発明の別の実施形態によれば、マイクロスプリング相互接続構造体は、回路アッセンブリの外周エリアに（即ち、デバイス／コンポーネントの周縁に隣接して）配置され、かつ１つまたは複数のはんだベースの相互接続構造体は、マイクロスプリングによって略包囲されるように、中心エリアに位置決めされる。マイクロスプリングを外周周りに位置合わせすることにより、マイクロスプリングが（はんだなしの）圧接式で配置されるか、はんだ付けで接続されるかに関わらず、マイクロスプリングは、振動または衝撃による著しい機械的応力下に置かれることがない。「ダミーの」接触パッド（即ち、はんだベースの相互接続構造体に使用されるもの）は、溶融はんだにおいて関連コンポーネントを共に引っ張る作用をする最大毛管力を促進するようなサイズ（即ち、何らかの面積制約内での最大外周長さ）にされる。ある特有の実施形態では、幾つかの「ダミー」接触パッドセットは、ＴＣＥ不一致の効果を最小限に抑えるために、互いに接近して位置決めされる（即ち、回路アッセンブリの中心領域に纏められる）。別の特有の実施形態では、「ダミーの」接触パッドは、溶融はんだにおいてコンポーネントを共に引っ張る作用をする毛管力を最大にする（即ち、何らかの面積制約内での最大外周長さにする）ようにして配置される。
【００１１】
本発明のさらに別の実施形態によれば、はんだベースの相互接続構造体は、回路アッセンブリにおける熱伝導性を最大にするように位置決めされる。例えば、はんだベースの相互接続構造体は、卓越した熱管理を提供するために、「ホットスポット」（高温領域）を取り巻く外周を形成するように位置合わせされ、かつ、リフローに先立って蒸着されるか、後に毛管作用によりリフローされる、より高い熱伝導性を有する物質（例えば、融点がはるかに低い、インジウム等の物質）へ熱結合されてもよい。
【００１２】
本発明のこれらの、および他の特徴、態様および優位点は、以下の説明、添付の請求の範囲および添付の図面に関連してより良く理解されるであろう。
【図面の簡単な説明】
【００１３】
【図１Ａ】図１Ａは、本発明の一実施形態による例示的な回路アッセンブリを示す断面側面図である。
【図１Ｂ】図１Ｂは、本発明の一実施形態による例示的な回路アッセンブリを示す断面平面図である。
【図２Ａ】図２Ａは、本発明の別の実施形態によるアッセンブリ方法を描いた斜視図である。
【図２Ｂ】図２Ｂは、本発明の別の実施形態によるアッセンブリ方法を描いた斜視図である。
【図２Ｃ】図２Ｃは、本発明の別の実施形態によるアッセンブリ方法を描いた斜視図である。
【図３Ａ】図３Ａは、図２Ｂおよび図２Ｃに従って実行されたはんだリフロープロセスを示す断面側面図である。
【図３Ｂ】図３Ｂは、図２Ｂおよび図２Ｃに従って実行されたはんだリフロープロセスを示す断面側面図である。
【図４】図４は、本発明の別の実施形態による例示的な回路アッセンブリを示す平面図である。
【図５】図５は、本発明のさらに別の実施形態による例示的な回路アッセンブリを示す平面図である。
【発明を実施するための形態】
【００１４】
本発明は、半導体パッケージングおよび他の半導体回路アッセンブリの改良に関する。以下の説明は、一般的な当業者が本発明をある具体的なアプリケーションおよびその要件のコンテキストで記載されている通りに利用できるように提示されている。本明細書で使用している、「上側」、「上方」、「上」、「下側」、「下方」および「側」等の方向関連の言い回しは、説明を目的として相対的な位置関係を提示するためのものであって、絶対的な基準系を指すためのものではない。 当業者には、好適な実施形態に対する様々な変更が明らかとなり、本明細書に規定されている一般的原理は、他の実施形態に適用されてもよい。したがって、本発明は、例示されかつ説明される特定の実施形態に限定されるべきものではなく、本発明には、本明細書に開示される原理および新規特徴に一致する最も広い範囲が与えられるべきである。
【００１５】
図１Ａおよび図１Ｂは、本発明の一般化されかつ大幅に単純化された実施形態による半導体パッケージ型回路アッセンブリ１００を示す断面側面図および断面平面図である。回路アッセンブリ１００は、概して、ベース基板パッケージ（支持構造体）１１０と、集積回路（ＩＣ）ダイ（ＩＣデバイス）１２０と、曲がったマイクロスプリング１３０（例えば、図１Ａに示されているマイクロスプリング１３０−１および１３０−２）と、はんだベースの相互接続構造体１４０とを含む。以下の説明を単純にするために、図１Ａには、マイクロスプリングが１３０−１および１３０−２の２つしか示されず、また図１Ｂにはマイクロスプリングが８本しか示されていないが、実際の用途では、機能的な支持構造体と関連のＩＣダイとを相互接続するために、典型的には数十本のマイクロスプリングが利用され、その全てが、マイクロスプリング１３０を参照して後述する方式で配置されかつ接続される。
【００１６】
図１Ａの下側部分を参照すると、支持構造体１１０は、ＩＣダイ１２０が上に搭載されるベース構造パッケージを提供している。支持構造体１１０は、任意の適切な非導電性のベース基板パッケージ（例えば、サファイア、セラミック、ガラスまたは有機基板材料）により形成されるプリント基板（ＰＣＢ）であって、上面１１１および下面１１２上に形成される「サポート」接触パッド間で電気信号を伝達するための導電経路を提供すべく既知の技術を用いて製造される。例えば、第１の信号経路は、上側の（第１のサポート）接触パッド１１７−１と下側の接触パッド１１８−１との間に内部導体１１６−１（即ち、非導電材料層の内部または間に形成される金属プラグ／ビアおよび金属トレース）によって確立され、かつ第２の信号経路は、上側の接触パッド１１７−２と下側の接触パッド１１８−２との間に内部導体１１６−２によって確立され、これにより、支持構造体１１０は、ベース基板パッケージとして用いるために適切に構成される。
【００１７】
本発明の一実施形態によれば、支持構造体１１０は、上面１１１上に形成される１つまたは複数の電気絶縁された「ダミーの」（非機能的）接触パッドも含む。例えば、上面１１１上には、上面１１１と下面１１２との間に信号経路を形成する全ての導体から電気絶縁されるようにして（第２の）サポート接触パッド１１７−３が配置される。ある特有の実施形態では、「ダミーの」サポート接触パッド１１７−３は、「機能的な」サポート接触パッド１１７−１および１１７−２を形成するために使用されるものと同じプロセスによって形成される（即ち、「ダミーの」接触パッド１１７−３の組成および厚さは、サポート接触パッド１１７−１および１１７−２のそれと略同一である）。後述するように、これらの「ダミーの」（非機能的）サポート接触パッドは機械的な接続機能を果たし、したがって、高信頼の機械的接続を提供すべくよりロバストな構造を提供する修正されたＰＣＢ製造プロセスによって形成されてもよい。
【００１８】
図１Ａの上側部分を参照すると、ＩＣダイ１２０は、任意の既知の半導体製造技術（例えば、ＣＯＭＳ）を用いて半導体（例えば、シリコン）「チップ」１２３の片面上に形成される集積回路１２４を含む半導体デバイスである。このようなデバイスにおいては、典型的には、集積回路１２４上にパッシベーション層１２５が形成され、金属製の相互接続構造体がパッシベーション層１２５を介して、ＩＣダイ１２０の外面上に配置される「デバイス」接触パッドまで延びる（即ち、金属ビア１２６−１および１２６−２がパッシベーション層１２５を介して各々集積回路１２４と接触パッド１２７−１および１２７−２との間に延びる）。標準的な半導体製造技術は、典型的には、処理が完全に半導体チップ１２３の片側で実行されることを包含し、かつ典型的には、パッシベーションおよびメタライゼーションで完了することから、集積回路１２４との電気接触に使用される接触パッド（例えば、接触パッド１２７−１および１２７−２）は、本明細書においてＩＣダイ１２０の「処理」（下側）面１２２と称するパッシベーション層１２５の外面上のみに配置される。ＩＣダイ１２０の反対表面は、「非処理」面１２１と称されるが、これは、典型的には、非処理面１２１と集積回路１２４との間に導電経路が配置されないことに起因する。
【００１９】
支持構造体１１０と同様に、ＩＣダイ１２０も、パッシベーション層１２５上に形成されて処理面１２２上へ露出される１つまたは複数の電気絶縁された「ダミーの」デバイス接触パッドを包含して製造される。例えば、下面１２２上には、（第２の）デバイス接触パッド１２７−３が、パッシベーション材料によって集積回路１２４から電気絶縁されるようにして配置される（即ち、デバイス接触パッド１２７−３と集積回路１２４との間に信号経路を形成する導体は存在しない）。「ダミーの」デバイス接触パッド１２７−３は、「機能的な」デバイス接触パッド１２７−１および１２７−２の形成に利用されるものと同じメタライゼーションプロセスを用いて形成され、後述する機械的接続機能を果たす。
【００２０】
本発明の一態様によれば、ＩＣダイ１２０は、パッケージ基板（支持構造体）１１０上へ、処理面１２２がパッケージ基板１１０の上面１１１に面するように標準的なフリップチップ配向で搭載される。標準的なフリップチップ配向は、アッセンブリ完成後には処理面１２２をＩＣダイ１２０の下面（下側に面する表面）にならしめ、非処理面１２１がＩＣダイ１２０の上面（上向きの面）を形成することに留意されたい。
【００２１】
本発明の別の態様によれば、ＩＣダイ１２０は、曲がったマイクロスプリング１３０によって支持構造体１１０へ電気接続され、かつＩＣダイ１２０は、１つまたは複数のはんだベースの相互接続構造体１４０によって支持構造体１１０へ機械的に接続され、マイクロスプリング１３０およびはんだベースの相互接続構造体１４０は共に、処理面１２２と基板上面１１１との間に画定される隙間領域ＧＡＰ内に配置される。ある実施形態では、マイクロスプリング１３０およびはんだベースの相互接続構造体１４０の存在に加えて、隙間領域ＧＡＰの残りの容積全体が空気で充填される（即ち、マイクロスプリング１３０およびはんだベースの相互接続構造体１４０は、ＩＣダイ１２０と支持構造体１１０との間の空気で充填された隙間領域を介して延びる）。
【００２２】
曲がったマイクロスプリング１３０（例えば、マイクロスプリング１３０−１および１３０−２、図１Ａ参照）は各々、処理面１２２へ固定的に接続されかつ接触パッド１２７へ電気接続されるアンカ（第１の）端部分１３１と、接触パッド１１７と非付着接触（即ち、はんだ付けまたは他の接着剤によって接着されない）状態にある先端／自由端（第２の部分）１３３と、第１および第２の端間で介在する空隙領域を介して延びる曲がった本体部分１３５とを有する内部構造体である。各マイクロスプリング１３０は、少なくとも部分的にスプリングメタル（例えば、モリブデン（Ｍｏ）、「モリクロム」合金（ＭｏＣｒ）、タングステン（Ｗ）、チタン−タングステン合金（Ｔｉ：Ｗ）、クロム（Ｃｒ）、銅（Ｃｕ）、ニッケル（Ｎｉ）およびニッケルジルコニウム合金（ＮｉＺｒ））で構成され、かつ先端／自由端が接触パッド１２７に当接すると本体部分１３５が弾性的に屈曲するように製造され、これにより、ＩＣダイ１２０と支持構造体１１０との間の確実な電気接続が提供されかつ保全される。
【００２３】
本明細書で使用している「はんだベースの相互接続構造体」という言い回しは、半導体パッケージングまたはＰＣＢアッセンブリにおいて利用される、はんだバンプ、はんだボールおよび典型的には標準的なリフローはんだ付けプロセスにおいて利用される他のはんだベースの構造体から形成される構造体等の任意の（好ましくは、無鉛の）はんだ接続構造体を指す。無鉛はんだ材料には、典型的には、錫、銅および銀が含まれ、場合により、ビスマス、インジウム、亜鉛、アンチモンおよび他の金属トレースのうちの１つまたはそれ以上が含まれる。図１Ａに示されているように、ある例示的なはんだベースの相互接続構造体１４０は、専ら無鉛はんだ材料を含み、かつ概して、「ダミーの」サポート接触パッド１１７−３へ固定的に接続される下側の（第１の）端部分１４１と、「ダミーの」デバイス接触パッド１２７−３へ固定的に接続される上側の（第２の）端部分１４３と、上側の端部分と下側の端部分との間に延びかつＩＣデバイス１２０を支持構造体１１０へ機械的に堅く固定するに足るサイズおよび強度を有する本体部分１４５とを含む。
【００２４】
図１Ｂは、回路アッセンブリ１００を平面図で示し、かつＩＣダイ１２０が４辺を持つ（正方形）構造体であることを示している（即ち、ＩＣダイ１２０は、実質的に、第１の辺Ｓ１、第２の辺Ｓ２、第３の辺Ｓ３および第４の辺Ｓ４によって形成される４辺の周縁を有する）。本実施形態では、ＩＣダイ１２０は、専らはんだベースの相互接続構造体１４０により「ダミーの」接触パッドで支持基板１１０へ機械的に固定され、かつ専らマイクロスプリング１３０により「機能的な」接触パッドで支持構造体１１０へ電気接続される。
【００２５】
図１Ｂに描かれている開示された実施形態の別の態様によれば、マイクロスプリング相互接続構造体１３０は、回路アッセンブリ１００の周辺エリアＰ内に（即ち、ＩＣダイ１２０の周縁の辺Ｓ１〜Ｓ４のうちの１辺に隣接して）配置され、かつはんだベースの相互接続構造体１４０は、周辺エリアＰにより包囲される中心エリアＣ内に位置決めされる。マイクロスプリング１３０をＩＣダイ１２０の外周周りに位置合わせすることにより、マイクロスプリング１３０は、（はんだなしの）圧接式で配置されるか、はんだ付けで接続されるかに関わらず、振動または衝撃による著しい機械的応力下に置かれることがない。
【００２６】
図２Ａから図２Ｃまでは、本発明の別の実施形態による、回路アッセンブリ１００（図１）を製造するための基本的なパッケージ・アッセンブリ・プロセスを示す。
【００２７】
図２Ａは、支持構造体１１０上へ処理面１２２を上向きにして配置されるＩＣダイ１２０を示している。第１の態様によれば、ＩＣダイ１２０は、処理面１２２上の周辺エリアＰ内に配置されかつ支持構造体１１０上へ組み立てられる前に剥離される複数のマイクロスプリング１３０（図１Ａのマイクロスプリング１３０−１および１３０−２を含む）を包含して製造される。ある実施形態では、マイクロスプリング１３０は、応力印加された薄膜として蒸着される自己屈曲性のスプリングメタルを用いて形成され、前記薄膜は、次に、最下部分（即ち、処理面１２２に隣接する蒸着された材料）がその上側部分（即ち、処理面１２２から最遠に位置決めされる水平の層）より低い内部引張り応力を有するスプリング材料のアイランド（平らな構造体）を形成するようにパターニングされ、これにより、応力印加された金属膜の内部応力が変動され、続く剥離プロセスの間に、スプリング・メタル・アイランドの狭い「フィンガ」部分がＩＣダイ１２０から離れて上方へ曲げられる。応力印加された金属膜内にこのような内部応力の変動を発生するための方法は、例えば、米国特許第３，８４２，１８９号明細書（異なる内部応力を有する２金属の蒸着）および米国特許第５，６１３，８６１号明細書（例えば、プロセスパラメータを変えながらの単一金属のスパッタリング）に教示されている。これらの特許は共に、参照により開示に含まれる。ある実施形態では、処理面１２２上へチタン（Ｔｉ）剥離材料層が蒸着され、次に、モリブデン（Ｍｏ）、「モリクロム」合金（ＭｏＣｒ）、タングステン（Ｗ）、チタン−タングステン合金（Ｔｉ：Ｗ）、クロム（Ｃｒ）、銅（Ｃｕ）、ニッケル（Ｎｉ）およびニッケルジルコニウム合金（ＮｉＺｒ）のうちの１つまたはそれ以上を含む応力印加された金属膜が、剥離材料上へスパッタ蒸着されるか、メッキされる。応力印加された金属膜が優れたベースメタルとして機能しなければ、応力印加された金属膜の上面上に、後続のメッキプロセスのためのシード材料として作用するための任意選択のパッシベーション金属層（不図示：例えば、金（Ａｕ）、白金（Ｐｔ）、パラジウム（Ｐｄ）またはロジウム（Ｒｈ））が蒸着されてもよい。またパッシベーション金属層は、完成したスプリング構造体における接触抵抗を向上させるために提供されてもよい。ある代替実施形態では、シード層なしに直接メッキされることが可能なニッケル（Ｎｉ）、銅（Ｃｕ）またはニッケルジルコニウム合金（ＮｉＺｒ）膜が形成されてもよい。無電解メッキが使用されれば、電極層の蒸着を省くことができる。さらに別の代替実施形態では、自己屈曲性のスプリング材料は、既知の技術に従って製造されるバイモルフ／バイメタル化合物（例えば、金属１／金属２、珪素／金属、酸化珪素／金属、珪素／窒化珪素）のうちの１つであってもよい。
【００２８】
図２Ａに示されているアッセンブリの第２の態様によれば、ＩＣダイ１２０および支持構造体１１０のうちの少なくとも一方は、関連の「ダミーの」接触パッド上に形成されるはんだ構造体（例えば、はんだバンプ、はんだボール、はんだペーストパッド、他）を包含するように加工される。図２Ａを再度参照すると、サポート接触パッド１１７−３上にははんだ構造体１４６が形成され、かつデバイス接触パッド１２７−３上にははんだ構造体１４７が形成されている。ある好適な実施形態では、これらのはんだ構造体は、既存の技術および機器を用いて形成される。
【００２９】
図２Ａにおける破線矢印が示すように、ＩＣダイ１２０は、「反転され」（処理面１２２が支持構造体の上面１１１に面するようにひっくり返され）、かつマイクロスプリング１３０の先端が関連のデバイス接触パッドと位置合わせされるように（例えば、マイクロスプリング１３０−１および１３０−２が各々デバイス接触パッド１１７−１および１１７−２と位置合わせするように）、かつはんだ構造体１４６および１４７も互いに位置合わせされるように方向づけられる。
【００３０】
図２Ｂおよび図３Ａに示されているように、ＩＣダイ１２０は、次に、マイクロスプリング１３０の先が関連のデバイス接触パッドに当接するように（例えば、マイクロスプリング１３０−１および１３０−２が各々デバイス接触パッド１１７−１および１１７−２に当接するように）、かつはんだ構造体１４６がはんだ構造体１４７に当接するように支持基板１１０上へ降下される。ＩＣダイ１２０は、全てのマイクロスプリングが弾性の曲げ（たわみ）を受けるように予め決められた圧力（力）Ｐを印加されて支持基板１１０へと押し付けられ、これにより、マイクロスプリングと関連の接触パッドとの間に確実な電気接触が生成される。この最初のアッセンブリステップの間に行われるはんだ構造体の接触（例えば、はんだバンプからスクリーン印刷されたはんだペーストへ）は、アッセンブリがはんだリフローステップを所望される接触圧力で通過するために必要な接着および安定性を提供する。
【００３１】
図２Ｃおよび図３Ｂに示されているように、ＩＣダイ１２０は、次に、標準的なはんだリフローによって支持構造体１１０へ機械的に付着される。即ち、アッセンブリは、ＩＣダイ１２０および支持構造体１１０上に形成されたはんだ構造体／ペーストはんだ構造体を溶融させかつ互いに融着させる温度まで加熱され、これにより、はんだベースの相互接続構造体１４０が形成される。これに続くアッセンブリの冷却により、はんだベースの相互接続構造体１４０は、ＩＣダイ１２０を支持構造体１１０へ「ダミーの」接触パッド１１７−３および１２７−３によって機械的に接続する剛構造を形成する。さらに、ＩＣダイ１２０と支持構造体１１０との間の電気接続は、複数のマイクロスプリングによって形成される（例えば、図３Ｂに示されているように、回路１２４と支持構造体１１０との間の電気接続は、各々相互接続部１２６−１／１２６−２、デバイス接触パッド１２７−１／１２７−２、マイクロスプリング１３０−１／１３０−２およびサポート接触パッド１１７−１／１１７−２によって形成される）。図２Ｃおよび図３Ｂの双方に示されているように、はんだベースの相互接続構造体１４０は、ＩＣダイ１２０の処理される（下側の）面１２２をＩＣデバイス１１０の上面１１１から所望される隙間距離Ｇを隔てて保持し、隙間距離Ｇは、全てのマイクロスプリング（例えば、スプリング１３０−１および１３０−２）の先端部分がその関連の「機能的な」サポート接触パッド（例えば、接触パッド１１７−１および１１７−２）にプレス力を印加するように設定される。
【００３２】
先に提示した方法は、軍事、ＤｏＤおよび高信頼の商業的アプリケーションにおいては望ましい、主として無機である、パッケージング手法を提供するための接着剤の使用を排除または最小限に抑える。即ち、ＩＣダイ１２０と支持構造体１１０との間の隙間領域ＧＡＰは、好ましくは空気で充填され、または不活性物質で満たされる。しかしながら、アプリケーションによっては、ＩＣダイ１２０と支持構造体１１０との間の機械的接続は、隙間領域ＧＡＰに接着剤を挿入することによって増強されてもよい。本方法は、既存のアッセンブリラインの変更を最小限に抑えるために、標準的な超小型電子技術、アッセンブリおよびはんだリフロー機器を用いて実行される。
【００３３】
図４は、本発明の一代替実施形態によるパッケージされた半導体デバイス（回路アッセンブリ）１００Ａを示す平面図である。デバイス１００Ａは、先に述べた方式と略同一の方式で形成されかつ組み立てられる支持構造体１１０Ａと、ＩＣダイ１２０Ａと、マイクロスプリング１３０とを含むが、支持構造体１１０Ａ上に配置された関連の「ダミーの」接触パッドとＩＣダイ１２０Ａとの間に接続される４つのはんだベースの相互接続構造体１４０−１から１４０−４を含み、よってＩＣダイ１２０Ａがはんだベースの相互接続構造体１４０−１から１４０−４によって支持構造体１１０Ａへ機械的に堅く固定される点が異なる。ＴＣＥ不一致の効果を最小限に抑えるために、はんだベースの相互接続構造体１４０−１から１４０−４は、好ましくは、互いに近接して位置決めされ、かつコンポーネント／チップ合計エリアのうちの一エリア内に纏められる（例えば、ＩＣダイ１２０の総面積の２５％以下の領域１４８内に配置される）。領域１４８は、図４では中心に位置決めされて示されているが、中心に位置決めされる必要はない（即ち、領域１４８は、中心領域Ｃの角部分のうちの１つに位置決めされてもよい）。
【００３４】
ある実施形態では、はんだベースの相互接続構造体１４０−１から１４０−４が付着される、（図１Ａを参照して先に述べた）接触パッド１１７−３および１２７−３に類似する「ダミーの」接触パッドは、溶融はんだにおいて関連コンポーネントを共に引っ張る作用をする最大毛管力を促進するようなサイズ（即ち、何らかの面積制約内での最大外周長さ）にされる。２つのエレメントを共に引っ張る毛管力は、溶融した場合のはんだ「プール」の外周に比例する。「刻み目のある、または波状の」縁を有する接触パッドは、より大きい外周対面積比、延いてはより高い引力を有することになり、かつプールの縁は金属接触パッドによって画定されることから、この外周はリソグラフィで画定されることが可能である。
【００３５】
別の実施形態によれば、はんだベースの相互接続構造体１４０−１から１４０−４は、ＩＣダイ１２０Ａの「ホットスポット」（即ち、平均温度より高温の局所化されたエリア）の外周１４９の周りに位置決めされる。はんだは、優れた熱導体として作用することから、はんだベースの相互接続構造体１４０−１から１４０−４は、大部分の熱を発生するＩＣダイ１２０Ａの部分（例えば、外周１４９により線引きされたエリア）に明確に被さるように設計されて配列され、この場合、はんだベースの相互接続構造体１４０−１から１４０−４は、デバイス１００Ａから熱を、例えば支持構造体１１０Ａ上に設けられる銅充填の基板通しビア（不図示）を介して除去する経路として作用する。この排熱機能について詳述すると、はんだベースの相互接続構造体１４０−１から１４０−４は、卓越した熱管理を提供するために、ホットスポットを取り巻く外周を形成するように設計され、かつこの実施形態では、リフローに先立って蒸着されるか、続いて毛管作用によりリフローされる、より高い熱伝導性を有するはんだ材料コンポーネント（例えば、融点がはるかに低い、インジウム等の物質）を含む。
【００３６】
先に述べたように、各マイクロスプリングは、一端でキャリアデバイス（例えば、第１の実施形態におけるＩＣダイ１２０）へ付着し、もう一方の端でメイティングデバイス（例えば、支持構造体１１０）へ付着するエッチングされた相互接続構造体であり、チップパッケージとキャリア／基板／相互接続基板との間の既存のマイクロスプリングおよびはんだ型相互接続の双方の改良型として機能する。代替実施形態では、マイクロスプリングのホスト基板としての役割が支持基板によって実行される。例えば、図５における半導体デバイスパッケージ（回路アッセンブリ）１００Ｂが示すように、ある代替実施形態では、マイクロスプリング１３０Ｂ−１および１３０Ｂ−２がパッケージ基板１１０Ｂ上に（即ち、ＩＣデバイス１２０Ｂ上ではなく）製造され、これにより、マイクロスプリング１３０Ｂ−１および１３０Ｂ−２のアンカ端は、支持構造体１１０Ｂの上面１１１Ｂ上のサポート接触パッド１１７−１および１１７−２へ固着され、かつ先端は、ＩＣダイ１２０Ｂの処理面１２２上の接触パッド１２７Ｂ−１および１２７Ｂ−２と非付着的に接触する。上面１１１Ｂと処理面１２２との間には、基板１１０ＢとＩＣデバイス１２０Ｂとの間の最適な空隙距離を保持するために、任意選択のスタンドオフ構造体（不図示）が延びて設けられる。デバイス１００Ｂは、その他の点では先に述べた実施形態に類似し、ＩＣダイ１２０Ｂは、１つまたは複数のはんだベースの相互接続構造体１４０によって支持基板１１０Ｂへ固定される。
【００３７】
本発明を、所定の具体的な実施形態に関連して記述したが、当業者には、本発明の発明的特徴が他の実施形態にも適用可能であり、それらは全て本発明の範囲に含まれるべきものであることが明らかであろう。例えば、図５に示されているように、「ダミーの」接触パッド間に形成される代わりに、ある実施形態では、はんだベースの相互接続構造体１４０へ付着される（第２の）デバイスおよびサポート接触パッドは個々の回路および相互接続構造体へ電気接続され（例えば、サポート接触パッド１１７−３は、ビア型相互接続構造体１１６−３によって下側の接触パッド１１８−３へ接続され、かつデバイス接触パッド１２７−３は、パッシベーション層１２５を介して延びる導体１２６−３によって回路１２４へ接続され）、これにより、はんだベースの相互接続構造体１４０は、電気信号（例えば、回路１２４が利用する接地（ゼロボルト）源）を送信する働きをする。さらに、これまで、本発明を関連の接触パッドとの非接触的な接触を有するマイクロスプリングを参照して説明したが、マイクロスプリングの先端は、既存の技術を用いるはんだ付けによって固定されてもよい（例えば、図５に示されているように、マイクロスプリング１３０Ｂ−１および１３０Ｂ−２の先端は各々、はんだ構造体１６０−１および１６０−２によってデバイス接触パッド１２７−１および１２７−２へ付着される）。さらに、本発明を半導体パッケージ型構造体の製造を参照して説明しているが、本明細書に記述されているアッセンブリ方法は、他のコンポーネントまたはエレメント（例えば、ＬＥＤエレメント）を支持構造体へ、またはマルチレベルパッケージング装置またはＩＣデバイスにおける１つまたは複数のＩＣダイ（即ち、ＩＣダイパッケージ）をシステムレベルのセッティングにおける大規模ＰＣＢへ固定するために利用されてもよい。
【図１Ａ】
2015008288.tif 000003
【図１Ｂ】
2015008288.tif 000004
【図２Ａ】
2015008288.tif 000005
【図２Ｂ】
2015008288.tif 000006
【図２Ｃ】
2015008288.tif 000007
【図３Ａ】
2015008288.tif 000008
【図３Ｂ】
2015008288.tif 000009
【図４】
2015008288.tif 000010
【図５】
2015008288.tif 000011